(57)【要約】【課題】部品の数を少なくでき、安価に製作することができる室内用簡易アンテナを提供する。【解決手段】板状絶縁体を用いて折曲げ可能に構成した基台１１の内側に略平板状の放射素子４１を貼り付けて折曲げ、基台１１内に放射素子４１を組み込む。放射素子４１の給電部４２に接続した同軸ケーブル４３を基台１１に設けたケーブル通し穴１９から外部に導出する。同軸ケーブル４３の先端には、チューナやテレビ受像機のアンテナ端子に接続するコネクタ４４を設ける。上記放射素子４１を組み込んだ基台１１を更に折曲げて立体的に組立て、水平あるいは垂直に配置できるように構成する。【選択図】図２
2012244597.tif 000002
【特許請求の範囲】
【請求項１】
板状絶縁体を用いて折曲げ可能に構成され、且つ立体形状への組立てが可能な基台と、前記基台の内側面に装着され、該基台の折曲げにより内側に組み込まれる略平板状の放射素子と、前記放射素子の給電部に接続されて前記基台の外部に導出される同軸ケーブルとを具備し、前記基台を立体形状に組立てた際に略水平または垂直の状態に配置できるように構成したことを特徴とする室内用簡易アンテナ。
【発明の詳細な説明】
【技術分野】
【０００１】
本発明は、地上デジタル放送波などＵＨＦ帯の電波を簡易に受信する室内用簡易アンテナに関する。
【背景技術】
【０００２】
地上デジタル（テレビジョン）放送（ＩＳＤＢ−Ｔ：Terrestrial Integrated Services Digital Broadcasting）は、２００３年１２月から関東、近畿及び中京広帯域圏で放送が開始され、２０１０年には普及の過渡期を迎えている。上記地上デジタル放送は、ＵＨＦ帯の電波が使用され、その周波数帯域は４７０〜７７０ＭＨｚ（１３〜６２チャンネル）が使用されている。このような背景の中、廉価なアンテナで、地上デジタル放送を受信したいという要望が高まっている。
【０００３】
ＵＨＦ帯の放送波を受信するアンテナにおいて、簡単な構造のアンテナとして従来から図１７に示すような方式のものが知られている。図１７はループ型アンテナ素子を用いたＵＨＦ帯受信用アンテナの構成を示す分解斜視図である。
【０００４】
図１７において、１はＵＨＦ帯の電波を受信するループ型の放射素子で、全長が約１λのループ素子を用いて長方形状に形成され、板状の２枚のカバー２ａ、２ｂにより保護されている。上記λは、使用周波数帯の最下端部近傍の周波数における波長である。上記カバー２ａ、２ｂは、例えば合成樹脂等の絶縁材を用いて放射素子１より少し大きく形成される。また、一方のカバー２ａは、カバー２ｂに対向する側の周囲が厚く形成され、その内側に放射素子１が接着材などで固定される。上記カバー２ａの四隅にネジ穴３が設けられ、カバー２ｂの４隅にネジ挿通穴４が設けられる。
【０００５】
また、上記放射素子１の下部に給電部５が設けられ、この給電部５に平衡不平衡変換トランス６を介して同軸ケーブル７が接続される。この同軸ケーブル７の先端には、外部接続用のコネクタ８が設けられている。そして、上記カバー２ａに固定された放射素子１、平衡不平衡変換トランス６及び同軸ケーブル７の上端部をカバー２ｂで挟み、該カバー２ｂの４隅に設けたネジ挿通穴４にネジ９を挿入し、カバー２ａのネジ穴３に螺合させて締め付け、同軸ケーブル７がカバー２ａ、２ｂ間から抜けないように圧力をかける。
【０００６】
上記のように構成されたＵＨＦ帯受信用アンテナは、簡易な構成でＵＨＦ帯の電波を受信することができる。
【０００７】
また、本発明に関連する公知技術として、例えば地上デジタル放送を受信するアンテナにおいて、平板状に構成された薄型アンテナや（例えば、特許文献１、２、３参照。）、折り畳み可能に構成されたアンテナ装置（例えば、特許文献４、５参照。）等が知られている。
【先行技術文献】
【特許文献】
【０００８】
【特許文献１】特開２０１０−６８１２２号公報
【特許文献２】特開２０１１−６１５６７号公報
【特許文献３】意匠登録第１３２４４３１号公報
【特許文献４】特開２００８−１７７８９１号公報
【特許文献５】特開２００８−１９９１５２号公報
【発明の概要】
【発明が解決しようとする課題】
【０００９】
上記のようにＵＨＦ帯の放送波を受信するアンテナにおいて、簡単な構造のアンテナとして従来から図１７に示すものが知られているが、最低でも６種類の部品を必要としており、安価に製作することが困難である。
【００１０】
本発明は上記の課題を解決するためになされたもので、部品の数を少なくでき、安価に製作することができる室内用簡易アンテナを提供することを目的とする。
【課題を解決するための手段】
【００１１】
本発明に係る室内用簡易アンテナは、板状絶縁体を用いて折曲げ可能に構成され、且つ立体形状への組立てが可能な基台と、前記基台の内側面に装着され、該基台の折曲げにより内側に組み込まれる略平板状の放射素子と、前記放射素子の給電部に接続されて前記基台の外部に導出される同軸ケーブルとを具備し、前記基台を立体形状に組立てた際に略水平または垂直の状態に配置できるように構成したことを特徴とする。
【発明の効果】
【００１２】
本発明によれば、非常に少ない部品点数で室内用簡易アンテナを構成でき、安価に製作することができる。また、室内用簡易アンテナを立体的に組立てた場合は、水平方向及び縦方向の何れにも配置することができ、水平偏波あるいは垂直偏波の放送波を任意に受信することができる。
【図面の簡単な説明】
【００１３】
【図１】本発明の実施例１に係る室内用簡易アンテナの基台を展開して示す正面図である。
【図２】同実施例１に係る室内用簡易アンテナの構成を示す分解斜視図である。
【図３】同実施例１における放射素子の構成を示す正面図である。
【図４】同実施例１における放射素子のＶＳＷＲ特性を示す図である。
【図５】同実施例１において、放射素子を基台へ組込む過程を示す斜視図である。
【図６】同実施例１において、放射素子の組込み完了後の状態を示す斜視図である。
【図７】同実施例１に係る室内用簡易アンテナを自立させて使用する場合の組立過程を示す斜視図である。
【図８】同実施例１に係る室内用簡易アンテナにおいて、基台に設けた写真貼付エリアに写真を装着した状態を示す斜視図である。
【図９】同実施例１に係る室内用簡易アンテナを組立てずに平らなままの状態で画鋲により壁に取付けた状態を示す斜視図である。
【図１０】同実施例１に係る室内用簡易アンテナを組立てずに平らなままの状態で紐及びフックにより壁に取付けた状態を示す斜視図である。
【図１１】本発明の実施例２に係る室内用簡易アンテナの構成を示す分解斜視図である。
【図１２】同実施例２において、放射素子を基台へ組込む過程を示す斜視図である。
【図１３】同実施例２において、放射素子の組込み完了後の状態を示す斜視図である。
【図１４】同実施例２において、放射素子の給電部に接続した同軸ケーブルを基台に設けたケーブル通し穴を介して外部に導出した状態を示す断面図である。
【図１５】同実施例２に係る室内用簡易アンテナを紐及び吸盤により窓に取付けた状態を示す斜視図である。
【図１６】本発明の実施例３に係る室内用簡易アンテナの構成を示す斜視図である。
【図１７】従来の簡易な構造のＵＨＦ帯受信用アンテナの構成を示す分解斜視図である。
【発明を実施するための形態】
【００１４】
以下、本発明の実施の形態について図面を参照して詳細に説明する。
【実施例１】
【００１５】
図１は本発明の実施例１に係る室内用簡易アンテナ１０Ａの基台１１を展開して示す正面図、図２は同実施例１に係る室内用簡易アンテナ１０Ａの構成を示す分解斜視図である。
【００１６】
実施例１に係る室内用簡易アンテナ１０Ａの基台１１は、図１に示すように紙やプラスチックなどの板状絶縁体を用いて４角形状に形成したもので、例えば横方向の幅Ｗが約２９６ｍｍ、縦方向の長さＨが約３１０ｍｍに設定され、上部領域１２、中部領域１３、下部領域１４に区分される。上記上部領域１２の長さＨ１は約１０８ｍｍ、中部領域１３の長さＨ２は上部領域１２より少し長い約１１０ｍｍ、下部領域１４の長さＨ３は約９２ｍｍに設定される。また、基台１１には、上部領域１２と中部領域１３との境界に筋押し１５が設けられると共に、中部領域１３と下部領域１４との境界に筋押し１６が設けられ、上記境界部分で山折りにより裏面側に折曲げられるようになっている。上記筋押し１５、１６部分には、必要に応じて破線等が印刷される。
【００１７】
上記上部領域１２には、左右の中央部分に略Ｕ字状のスリット（切込み溝）１７ａ、１７ｂが設けられ、その内側に基台組立用差込み片１８ａ、１８ｂが形成される。この基台組立用差込み片１８ａ、１８ｂは、基台１１の外側（正面側）に折曲げて使用される。また、上部領域１２には、上辺の中央部に近接してケーブル通し穴１９が設けられると共に、このケーブル通し穴１９から上辺までケーブル挿入用のスリット２０が設けられる。上記ケーブル通し穴１９の直径は、該ケーブル通し穴１９内に挿入される同軸ケーブルの外径に対して１００％〜１５０％の範囲で設定される。更に、上部領域１２及び下部領域１４の左右には、筋押し１５に近接して取付穴２１ａ、２１ｂ及び２２ａ、２２ｂが設けられる。この場合、上部領域１２側の取付穴２１ａ、２１ｂと中部領域１３側の取付穴２２ａ、２２ｂとは、筋押し１５を中心として対称の位置に設けられる。すなわち、上部領域１２と中部領域１３とを筋押し１５に沿って山折りして内側に折曲げた際に、上部領域１２側の取付穴２１ａ、２１ｂと中部領域１３側の取付穴２２ａ、２２ｂの位置が一致するように設けられる。
【００１８】
上記上部領域１２の裏面には、図２に示すように放射素子装着領域４０が設けられ、この放射素子装着領域４０に平板状の放射素子４１が装着される。この放射素子４１は、フィルム基板や金属板などの導体素子５０を用いて平板状に形成したもので、その詳細については後述する。放射素子４１には、給電部４２に同軸ケーブル４３が接続されており、この同軸ケーブル４３が基台１１の上部領域１２に設けられたケーブル通し穴１９を挿通して外部に導出される。同軸ケーブル４３の先端には、地上デジタル放送受信用のチューナやテレビ受像機のアンテナ端子に接続するコネクタ４４が設けられている。
【００１９】
また、図１に示すように基台１１の中部領域１３には、外側中央部に写真貼付エリア２３が設定され、この写真貼付エリア２３の四隅に写真差込み用スリット２４ａ〜２４ｄが設けられる。この写真差込み用スリット２４ａ〜２４ｄを利用して写真貼付エリア２３に写真等を装着することができる。
【００２０】
基台１１の下部領域１４には、上下方向の中央に横方向の筋押し２５が設けられる。この筋押し２５は、中央部分を残して左右に形成されるもので、中央部分には略Ｕ字形状の切込み２６が設けられる。下部領域１４は、筋押し２５を山折りして裏面側に折曲げられるが、中央部分は切込み２６によって分離される。また、下部領域１４には、上部中央に略エの字状の切込み２７を設け、ケーブル引出部２８ａ、２８ｂを構成している。このケーブル引出部２８ａ、２８ｂには、左右の両側に折曲げ位置を示す縦方向の破線２９ａ、２９ｂが印刷される。ケーブル引出部２８ａ、２８ｂは、アンテナの設置状態に応じ、必要に応じて使用される。
【００２１】
また、下部領域１４には、下側の左右に組立用切込み３１ａ、３１ｂが設けられる。この組立用切込み３１ａ、３１ｂは、上部領域１２に形成された基台組立用差込み片１８ａ、１８ｂに対応する位置に設けられる。後述するように、基台１１を組立てる際に基台組立用差込み片１８ａ、１８ｂが組立用切込み３１ａ、３１ｂ内に挿入される。更に、下部領域１４には、下側左右の角部に取付穴３２ａ、３２ｂが設けられる。
【００２２】
次に、上記放射素子４１の詳細について図３を参照して説明する。
【００２３】
図３は放射素子４１の構成を示す正面図である。放射素子４１は、例えば金属箔や金属板、あるいはフィルム状素子等の長方形状の導体素子５０を用いて構成され、全長（横幅）Ｌａが約０．３５λａ、高さＬｂが全長の約０．３〜０．６倍の範囲である約０．１１λａに設定される。上記λａは使用周波数帯域の最下端部近傍の周波数における波長である。上記導体素子５０の厚さは、任意に設定することが可能である。
【００２４】
上記導体素子５０の中央部に略コの字型のスリット５１を設け、このスリット５１を含む左側を放射部５２ａとし、スリット５１の右側を（−）領域５２ｂとしている。上記放射部５２ａの横幅Ｌｃは例えば約０．１７５λａ、スリット５１の幅ｄは約０．００８λａに設定される。スリット５１は、中央側に位置する上端が開口しており、この開口位置から下方に向かって設けられ、導体素子５０の下側に沿って折曲げられて略コの字型に形成される。スリット５１の全長は約０．１５λａに設定され、終端は導体素子５０の上側近傍に位置して設けられる。また、スリット５１の給電部４２から終端までの長さは、約０．０７λａに設定される。
【００２５】
また、導体素子５０には、例えばスリット５１の最初の屈曲部近傍に給電部４２が設けられる。この場合、給電部４２は、スリット５１の両側に給電端子５３ａ、５３ｂを設け、放射部５２ａ側の給電端子５３ａに同軸ケーブル４３の中心導体を半田付け等により接続して（＋）給電し、他方の給電端子５３ｂに同軸ケーブル４３の外部導体を接続して（−）給電する。
【００２６】
更に、導体素子５０には、左右両側の略中央に切抜き窓５４ａ、５４ｂが設けられる。この切抜き窓５４ａ、５４ｂは、上部領域１２に設けた基台組立用差込み片１８ａ、１８ｂ（図２参照）の位置に対応し、且つ基台組立用差込み片１８ａ、１８ｂより少し大きく形成される。すなわち、基台組立用差込み片１８ａ、１８ｂを外側に折曲げた際に形成される抜き穴から放射素子４１が見えないようにしている。なお、導体素子５０に切抜き窓５４ａ、５４ｂを設けた場合でも、導体素子５０に流れる電流は主に周辺部に流れるので、アンテナ特性に殆ど影響しない。
【００２７】
上記のように構成された放射素子４１は、放射部５２ａがモノポールアンテナと略同様の機能を有し、スリット５１の最初の屈曲部近傍に設けられた給電部４２より給電されると電波が放射される。このとき電波は、スリット５１の終端付近から放射される。
【００２８】
図４は、上記放射素子４１のＶＳＷＲ特性（特性インピーダンス７５Ω）を示したもので、４７０ＭＨｚ〜７１０ＭＨｚの範囲でＶＳＷＲが２．５以下であり、その比帯域が約４０％以上となっている。
【００２９】
上記放射素子４１は、長方形状の導体素子５０にスリット５１を設けて放射部５２ａを構成した非常に簡易な構成であり、低コストに製作することが可能である。また、放射素子４１は、全長Ｌａが約０．３５λａ、高さＬｂが約０．１１λａで非常に小型であり、且つ広帯域に亘って良好なＶＳＷＲ特性を得ることができる。更に給電インピーダンスを数十Ωの値に設定でき、平衡不平衡変換トランス等のインピーダンス整合回路を用いずに同軸ケーブル４３の特性インピーダンスと整合させることができる。
【００３０】
なお、上記放射素子４１は、放射部５２ａの横幅Ｌｃを約０．１７５λａに設定した場合について説明したが、Ｌｃの値は任意に設定することが可能である。
【００３１】
上記放射素子４１は、図５及び図６に示すようにして基台１１への組込みを行う。図５は放射素子４１を基台１１へ組込む過程を示す斜視図、図６は組込み完了状態を示す斜視図である。
【００３２】
先ず、図５に示すように基台１１の上部領域１２の裏面側に設けた放射素子装着領域４０上に放射素子４１を載置し、例えば粘着テープ４５を用いて固定する。この場合、放射素子４１は、給電部４２を上部領域１２の上辺側に位置させ、同軸ケーブル４３を上部領域１２の上部中央に設けたスリット２０からケーブル通し穴１９内に挿入する。その後、スリット２０を例えばホチキス４６により固定する。また、ケーブル通し穴１９の近傍において、同軸ケーブル４３をホチキスにより基台１１に固定してもよい。
【００３３】
この状態で、例えば中部領域１３の両側及び筋押し１６に近接する中央部に予め両面粘着テープ４７ａ〜４７ｃを貼付しておき、放射素子４１を貼り付けた上部領域１２の面を筋押し１５に沿って矢印ａで示すように中部領域１３側に折曲げ、図６に示すように上部領域１２を中部領域１３に重ね合わせ、両者間を上記両面粘着テープ４７ａ〜４７ｃにより接着する。このとき、放射素子４１の給電部４２から上部領域１２のケーブル通し穴１９を介して外部に導出された同軸ケーブル４３は、下部領域１４に設けたケーブル引出部２８ａ、２８ｂ及び切込み２６の上方に沿って位置している。
【００３４】
以上で、基台１１に対する放射素子４１の組込みを完了する。
【００３５】
上記のように放射素子４１の組込みを完了した室内用簡易アンテナ１０Ａは、ユーザが使用する際に次のようにして組立てを行う。
【００３６】
図７（ａ）〜（ｃ）は、室内用簡易アンテナ１０Ａを自立させて使用する場合の組立過程を示す斜視図である。
【００３７】
先ず、図７（ａ）に示すように一体に接着した上部領域１２及び中部領域１３を筋押し１６に沿って裏面側に所定角度例えば約８５°折曲げる共に、下部領域１４の下部側を筋押し２５に沿って裏面側上方に折曲げ、その折曲げた先端部を上部領域１２の面、すなわち基台組立用差込み片１８ａ、１８ｂの下部近傍に当接させる。このとき、上部領域１２のケーブル通し穴１９から外部に導出されている同軸ケーブル４３及びコネクタ４４を下部領域１４の中央部分の切込み２６によって生じる抜き穴を通して外部に引き出す。
【００３８】
この状態で図７（ｂ）に示すように上部領域１２に設けられている基台組立用差込み片１８ａ、１８ｂを外側に折曲げ、下部領域１４に設けられている組立用切込み３１ａ、３１ｂ内に外側から差込み、上部領域１２と下部領域１４とを結合し、室内用簡易アンテナ１０Ａの組立てを完了する。図７（ｃ）は、組立てを完了した室内用簡易アンテナ１０Ａを前面、すなわち写真貼付エリア２３が設けられた中部領域１３の前面側から見た斜視図を示している。
【００３９】
上記室内用簡易アンテナ１０Ａに設けた写真貼付エリア２３には、図８に示すように写真差込み用スリット２４ａ〜２４ｄを利用して写真４８等を飾ることができる。
【００４０】
上記のようにして組立てた室内用簡易アンテナ１０Ａをテレビ受像機の上や窓の近くに置き、同軸ケーブル４３の先端に設けられているコネクタ４４を地上デジタル放送受信用のチューナやテレビ受像機のアンテナ端子に接続する。これによりテレビ受像機にて、地上デジタル放送波を受信することができる。
【００４１】
上記室内用簡易アンテナ１０Ａは、図８に示したように水平に置いた場合には、水平偏波の放送波を受信でき、また、縦にして置いた場合は垂直偏波の放送波を受信することができる。
【００４２】
また、上記室内用簡易アンテナ１０Ａは、組立てずに平らなままの状態で、図９に示すように基台１１の中部領域１３に設けた取付穴２２ａ、２２ｂ及び上部領域１２に設けた取付穴２１ａ、２１ｂを利用し、画鋲６１等を用いて壁６２に取付けてもよい。なお、室内用簡易アンテナ１０Ａを組立てずに平らなままの状態で使用する場合は、基台１１の下部領域１４に切込み２７により形成したケーブル引出部２８ａ、２８ｂを破線２９ａ、２９ｂに沿って外側方向に折曲げて左右に開き、その抜き穴から同軸ケーブル４３及びコネクタ４４を外部に引き出すようにする。
【００４３】
また、上記室内用簡易アンテナ１０Ａを組立てずに平らなままの状態で使用する場合、図１０に示すように基台１１の中部領域１３に設けた取付穴２２ａ、２２ｂ及び上部領域１２に設けた取付穴２１ａ、２１ｂに紐６３を通し、フック６４を用いて壁６２に取付けるようにしてもよい。
【００４４】
室内用簡易アンテナ１０Ａを組立てずに平らなままの状態で使用する場合においても、横方向及び縦方向に任意に取付けることができ、水平偏波あるいは垂直偏波の放送波を受信することができる。
【００４５】
上記実施例１によれば、非常に少ない部品点数で室内用簡易アンテナ１０Ａを構成でき、安価に製作することができる。また、室内用簡易アンテナ１０Ａを立体的に組立てた場合は、水平方向及び縦方向の何れにも配置でき、水平偏波あるいは垂直偏波の放送波を任意に受信することができる。
【実施例２】
【００４６】
次に本発明の実施例２に係る室内用簡易アンテナについて説明する。
【００４７】
図１１は本発明の実施例２に係る室内用簡易アンテナ１０Ｂの構成を示す分解斜視図、図１２は放射素子を基台へ組込む過程を示す斜視図、図１３は組込み完了状態を示す斜視図である。
【００４８】
図１１において、７１は基台で、実施例１と同様に紙やプラスチックなどの板状絶縁体を用いて４角形状に形成したもので、中央で上部領域７２と下部領域７３に区分され、下部領域７３に放射素子装着領域８０が設けられる。また、基台７１は、上部領域７２と下部領域７３との間に筋押し７４が設けられ、この筋押し７４に沿って谷折りすることにより、上部領域７２と下部領域７３が重ね合わさるように構成される。
【００４９】
更に基台７１には、４隅に取付穴７５ａ〜７５ｄが設けられると共に、筋押し７４の両側に沿って両端及び中央に取付穴７６ａ〜７６ｃ、７７ａ〜７７ｃが設けられる。上部領域７２側の取付穴７６ａ〜７６ｃと下部領域７３側の取付穴７７ａ〜７７ｃとは、筋押し７４を中心として対称の位置に設けられ、上部領域７２と下部領域７３とを筋押し７４に沿って折曲げて重ね合わせた際に、上部領域７２側の取付穴７６ａ〜７６ｃと下部領域７３側の取付穴７７ａ〜７７ｃの位置が一致するようになっている。また、下部領域７３は、下辺の中央部に近接してケーブル通し穴７８が設けられると共に、このケーブル通し穴７８から下辺までケーブル挿入用のスリット７９が設けられる。上記ケーブル通し穴７８の直径は、同軸ケーブル４３の外径に対して１００％〜１５０％の範囲で設定される。
【００５０】
そして、基台７１に放射素子４１を組込む際は、下部領域７３の裏面側に設けられた放射素子装着領域８０に放射素子４１を接着材あるいは粘着テープ等により固定する。この放射素子４１は、実施例１と同様の構成であるので、同一部分には同一符号を付して詳細な説明は省略する。なお、実施例１では、放射素子４１に切抜き窓５４ａ、５４ｂを設けた場合を例として示したが、この実施例２では切抜き窓５４ａ、５４ｂを設けなくてもよい。上記放射素子４１には、図１４（ａ）に示すように給電部４２に同軸ケーブル４３の中心導体４３ａ及び外部導体４３ｂが半田付け８１、８２により接続される。同軸ケーブル４３は、先端にコネクタ４４を備えている。
【００５１】
上記給電部４２に接続された同軸ケーブル４３は、図１１、図１２及び図１４（ａ）に示すように基台７１の下部領域７３に設けられたスリット７９からケーブル通し穴７８内に挿入し、基台７１の前面側から外部に導出する。その後、図１２に示すようにスリット７９を例えばホチキス９１により固定する。また、ケーブル通し穴７８の近傍において、同軸ケーブル４３をホチキスにより基台７１に固定してもよい。
【００５２】
次に基台７１を筋押し７４に沿って半分に折り、上部領域７２と下部領域７３との間に放射素子４１を挟んだ状態で、上部領域７２と下部領域７３とを接着材により接着して固定し、アンテナの組込みを完了する。
【００５３】
上記のように構成された室内用簡易アンテナ１０Ｂは、基台７１の４隅に設けた取付穴７５ａ〜７５ｄ及び筋押し７４の近傍に設けた取付穴７６ａ〜７６ｃ、７７ａ〜７７ｃを利用し、実施例１と同様に例えば画鋲、紐、フック、吸盤等を利用して壁や窓に取付けることができる。
【００５４】
図１５は、上記室内用簡易アンテナ１０Ｂの取付穴７６ａ（７７ａ）、７６ｃ（７７ｃ）に紐６３を通し、吸盤６５を用いて窓６６に取付けた場合の例を示したものである。
【００５５】
上記実施例２によれば、室内用簡易アンテナ１０Ｂは、基台７１、放射素子４１及び同軸ケーブル４３の３種類の分品で構成することができ、実施例１に比較して更に簡易な構成とすることができる。また、図１４（ａ）に示したように放射素子４１に接続した同軸ケーブル４３を基台７１に設けたケーブル通し穴７８内に挿通させて外部に導出することにより、図１４（ｂ）に矢印ａで示すように同軸ケーブル４３に対し、下方向に荷重が掛かった場合、ケーブル通し穴７８の端部に同軸ケーブル４３が接触し、矢印ｂで示すように基台７１を変形させる作用が働くので、放射素子４１と同軸ケーブル４３の接続部に掛かるストレスを軽減することができる。
【実施例３】
【００５６】
次に本発明の実施例３に係る室内用簡易アンテナについて説明する。
【００５７】
図１６は本発明の実施例３に係る室内用簡易アンテナ１０Ｃの構成を示す斜視図である。この第３実施例３に係る室内用簡易アンテナ１０Ｃは、放射素子４１を構成する導体素子５０の４隅に取付穴１０１ａ〜１０１ｄを設け、基台を使用することなく、壁や窓等に取付けられるように構成したものである。また、導体素子５０には、給電部４２の下側にケーブル通し穴１０２を設け、このケーブル通し穴１０２内に挿通させた同軸ケーブル４３の中心導体４３ａ及び外部導体４３ｂを給電部４２に接続するようにしている。放射素子４１のその他の構成は、実施例１、２に示したものと同様の構成であるので、同一部分には同一符号を付して詳細な説明は省略する。
【００５８】
上記実施例３によれば、基台を使用することなく、放射素子４１を壁や窓等に取付けることができ、アンテナの構成を更に簡易化することができる。
【００５９】
なお、上記室内用簡易アンテナ１０Ａ、１０Ｂ、１０Ｃで使用する放射素子４１は、上記実施例で示したものに限定されるものではなく、平板型の放射素子であれば、その他の構成であってもよい。
【００６０】
また、本発明は、上記実施の形態そのままに限定されるものではなく、実施段階ではその要旨を逸脱しない範囲で構成要素を変形して具体化できるものである。
【符号の説明】
【００６１】
１０Ａ…実施例１に係る室内用簡易アンテナ、１０Ｂ…実施例２に係る室内用簡易アンテナ、１０Ｃ…実施例３に係る室内用簡易アンテナ、１１…基台、１２…基台の上部領域、１３…基台の中部領域、１４…基台の下部領域、１５、１６…筋押し、１７ａ、１７ｂ…スリット、１８ａ、１８ｂ…基台組立用差込み片、１９…ケーブル通し穴、２０…スリット、２１ａ、２１ｂ、２２ａ、２２ｂ…取付穴、２３…写真貼付エリア、２４ａ〜２４ｄ…写真差込み用スリット、２５…筋押し、２６、２７…切込み、２８ａ、２８ｂ…ケーブル引出部、２９ａ、２９ｂ…破線、３１ａ、３１ｂ…組立用切込み、３２ａ、３２ｂ…取付穴、４０…放射素子装着領域、４１…放射素子、４２…給電部、４３…同軸ケーブル、４３ａ…中心導体、４３ｂ…外部導体、４４…コネクタ、４５…粘着テープ、４６…ホチキス、４７ａ〜４７ｃ…両面粘着テープ、４８…写真、５０…導体素子、５１…スリット、５２ａ…放射部、５２ｂ…（−）領域、５３ａ、５３ｂ…給電端子、５４ａ、５４ｂ…切抜き窓、６１…画鋲、６２…壁、６３…紐、６４…フック、６５…吸盤、６６…窓、７１…基台、７２…基台の上部領域、７３…基台の下部領域、７４…筋押し、７５ａ〜７５ｄ、７６ａ〜７６ｃ、７７ａ〜７７ｃ…取付穴、７８…ケーブル通し穴、７９…スリット、８０…放射素子装着領域、８１、８２…半田付け、９１…ホチキス、１０１ａ〜１０１ｄ…取付穴、１０２…ケーブル通し穴。
【図１】
2012244597.tif 000003
【図２】
2012244597.tif 000004
【図３】
2012244597.tif 000005
【図４】
2012244597.tif 000006
【図５】
2012244597.tif 000007
【図６】
2012244597.tif 000008
【図７】
2012244597.tif 000009
【図８】
2012244597.tif 000010
【図９】
2012244597.tif 000011
【図１０】
2012244597.tif 000012
【図１１】
2012244597.tif 000013
【図１２】
2012244597.tif 000014
【図１３】
2012244597.tif 000015
【図１４】
2012244597.tif 000016
【図１５】
2012244597.tif 000017
【図１６】
2012244597.tif 000018
【図１７】
2012244597.tif 000019